(57)【特許請求の範囲】
【請求項１】
被撮影者を撮影し、撮影画像を生成する撮影装置と、
複数の背景画像を格納した記憶部と、
背景画像の選択指示を受け付ける指示受付部と、
前記撮影画像から人物画像を切り抜き、前記指示受付部を介して選択指示された背景画像と前記人物画像とを合成して合成画像を作成し、前記合成画像からプリント用画像及びプレビュー用画像を生成する画像処理部と、
複数の背景画像と、前記プレビュー用画像を表示する表示部と、
前記プリント用画像を印画物にプリントして出力するプリンタと、
前記撮影画像から切り抜かれた前記人物画像のデータを外部出力するデータ入出力部と、
を備え、
前記指示受付部を介して指示された色又は模様を用いてカスタム背景画像を作成するカスタム背景作成部をさらに備え、
前記画像処理部は、前記人物画像と前記カスタム背景画像とを合成して合成画像を作成し、
前記指示受付部及び前記表示部はタッチパネルからなり、
前記タッチパネルは、背景画像の色の指示を受け付けるカラーチャートを表示し、
前記画像処理部は、前記人物画像から前記被撮影者の毛髪、服、又は肌の色を抽出し、
前記抽出された色が、前記タッチパネルに表示されているカラーチャート上にプロットされることを特徴とする印画物作製装置。
【請求項２】
前記データ入出力部は、撮影画像から切り抜かれた人物画像のデータが外部入力され、  前記画像処理部は、前記データ入出力部を介して入力された人物画像と、前記指示受付部を介して選択指示された背景画像とを合成して合成画像を作成することを特徴とする請求項１に記載の印画物作製装置。
【発明の詳細な説明】
【技術分野】
【０００１】
本発明は、顔画像が印画された印画物を作製する印画物作製装置に関する。
【背景技術】
【０００２】
従来、免許証、パスポート、履歴書等に貼付するための証明写真等を撮影するためのボックス型の写真撮影装置が知られている。写真撮影装置は、人物を撮影し、用途に応じた様々なサイズの写真をプリントして出力する。従来の写真撮影装置では、人物を単一の背景壁紙の前に座らせて撮影を行っていた。そのため、写真の背景色を変えるには、壁紙を貼り替える必要があった。
【０００３】
また、クロマキー合成を用いた処理により、人物画像に背景用画像を合成してプリント出力する装置が知られている（例えば特許文献１参照）。利用者は、あらかじめ準備されている様々な背景用画像から所望の画像を選択することができる。
【０００４】
クロマキー合成では、撮影画像における人物部分と背景部分とを分離し、人物部分のみが切り抜かれるが、人物部分の切り抜き処理を行うためには、写真撮影装置に高い画像処理能力が求められる。街中に設置される写真撮影装置を全て画像処理能力の高い写真撮影装置にするにはコストがかかる。そのため、画像処理能力の高い写真撮影装置の設置台数を抑えつつ、人物画像と所望の背景用画像とを合成した画像のプリントサービスを多くの利用者に提供することが求められる。
【０００５】
また、証明写真は、髪型や服装を整えて撮影することが多く、利用者にとっては撮影のための準備に手間がかかるものであるため、一度撮影した画像を再プリント（焼き増し）したいという要望が強かった。
【先行技術文献】
【特許文献】
【０００６】
【特許文献１】特許第４２１７０６６号公報
【発明の概要】
【発明が解決しようとする課題】
【０００７】
本発明はこのような点を考慮してなされたものであり、撮影画像から人物画像を切り抜き、この人物画像を、自装置又は他装置において背景画像と合成して再プリント可能となるように出力する印画物作製装置を提供することを目的とする。
【課題を解決するための手段】
【０００８】
本発明の一態様による印画物作製装置は、被撮影者を撮影し、撮影画像を生成する撮影装置と、複数の背景画像を格納した記憶部と、背景画像の選択指示を受け付ける指示受付部と、前記撮影画像から人物画像を切り抜き、前記指示受付部を介して選択指示された背景画像と前記人物画像とを合成して合成画像を作成し、前記合成画像からプリント用画像及びプレビュー用画像を生成する画像処理部と、複数の背景画像と、前記プレビュー用画像を表示する表示部と、前記プリント用画像を印画物にプリントして出力するプリンタと、前記撮影画像から切り抜かれた前記人物画像のデータを外部出力するデータ入出力部と、を備え、前記指示受付部を介して指示された色又は模様を用いてカスタム背景画像を作成するカスタム背景作成部をさらに備え、前記画像処理部は、前記人物画像と前記カスタム背景画像とを合成して合成画像を作成し、前記指示受付部及び前記表示部はタッチパネルからなり、前記タッチパネルは、背景画像の色の指示を受け付けるカラーチャートを表示し、前記画像処理部は、前記人物画像から前記被撮影者の毛髪、服、又は肌の色を抽出し、前記抽出された色が、前記タッチパネルに表示されているカラーチャート上にプロットされるものである。
【０００９】
本発明の一態様による印画物作製装置においては、前記データ入出力部は、撮影画像から切り抜かれた人物画像のデータが外部入力され、前記画像処理部は、前記データ入出力部を介して入力された人物画像と、前記指示受付部を介して選択指示された背景画像とを合成して合成画像を作成することが好ましい。
【発明の効果】
【００１３】
本発明によれば、撮影画像から人物画像を切り抜き、この人物画像を、自装置又は他装置において背景画像と合成して再プリント可能となるように出力することができる。
【図面の簡単な説明】
【００１４】
【図１】本発明の実施形態に係る印画物作製装置の概略構成図である。
【図２】同実施形態に係る演算制御装置の概略構成図である。
【図３】同実施形態による画像処理プログラムの実行により実現される機能ブロック図である。
【図４】同実施形態による印画物作製方法を説明するフローチャートである。
【図５】表示画面の一例を示す図である。
【図６】表示画面の一例を示す図である。
【図７】同実施形態による印画物作製方法を説明するフローチャートである。
【図８】表示画面の一例を示す図である。
【発明を実施するための形態】
【００１５】
以下、本発明の実施の形態を図面に基づいて説明する。
【００１６】
図１に本実施形態に係る印画物作製装置の概略構成を示す。印画物作製装置は、被撮影者Ｐを撮影し、撮影画像を生成する撮影装置２と、この撮影画像に対して画像処理を施す演算制御装置１と、印画物（写真）をプリントするプリンタ５と、撮影装置２が被撮影者Ｐを撮影する際に被撮影者Ｐに光を照射するストロボ６と、を備える。この印画物作製装置は、撮影画像から人物部分を切り抜き、人物画像と背景画像を合成した合成画像を印画物にプリントして出力するものである。印画物作製装置における被撮影者Ｐの背中側の壁紙は、後述するクロマキー合成に適した色、例えば青色や黄緑色になっている。
【００１７】
撮影装置２は、例えばデジタルカメラであり、レンズ、シャッタ、ＣＭＯＳセンサ、Ａ／Ｄ変換器等を有する。撮影装置２が被撮影者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置２は、撮影画像データを演算制御装置１へ出力する。
【００１８】
また、印画物作製装置は、被撮影者Ｐから各種指示を受け付けると共に、プレビュー画像を表示するタッチパネル（指示受付部及び表示部）３を備えている。
【００１９】
タッチパネル３は、操作ボタンを表示し、操作ボタンが押されると、その操作ボタンに対応した操作指示を受け付ける。例えば、タッチパネル３は、ユーザ（被撮影者Ｐ）から、印画物の用途の指示を受け付ける。印画物の用途は、プリンタ５が印画物にプリントする画像サイズ（写真サイズ）に対応しており、例えば、運転免許証、パスポート、履歴書等である。また、タッチパネル３は、少なくとも１つの背景画像候補を表示するとともに、ユーザから背景画像の選択指示を受け付けることができる。また、タッチパネル３は、ユーザが背景画像をカスタマイズするための色、明るさ、模様、グラデーション等の指示を受け付けることができる。また、タッチパネル３は、ユーザからプリンタ５のプリント開始指示を受け付けることができる。
【００２０】
また、タッチパネル３は、撮影画像から切り抜かれた人物画像のデータの出力指示を受け付けることができる。また、タッチパネル３は、人物画像のデータの入力指示を受け付けることができる。
【００２１】
また、印画物作製装置には、撮影画像から切り抜かれた人物画像のデータを入出力するデータ入出力部７が設けられている。データ入出力部７は、有線通信又は無線通信により、ユーザの所有する記憶媒体に対してデータの入出力を行う。例えば、データ入出力部７がＵＳＢポートである場合、ユーザは所有するＵＳＢメモリにデータを記憶させたり、ＵＳＢメモリ内のデータを印画物作製装置に入力したりすることができる。また、データ入出力部７が、赤外線やブルートゥースによる無線通信を行う場合、ユーザが所有する携帯情報機器と通信し、データの送受信を行う。
【００２２】
さらに、印画物作製装置には、被撮影者Ｐが印画物の代金として支払う貨幣を受け入れたり、釣銭を払い出したりする課金部（図示せず）が設けられている。
【００２３】
演算制御装置１は、撮影装置２、タッチパネル３、プリンタ５、ストロボ６、データ入出力部７、及び課金部に接続されており、各部の制御やデータの受け渡しを行う。
【００２４】
図２に、演算制御装置１のハードウェア構成を示す。演算制御装置１は、ＣＰＵ（中央演算処理部）１１、メインメモリ１２、ディスク装置１３、及び入出力部１４を有する。演算制御装置１の各部はバス１５を介して接続されている。
【００２５】
ディスク装置１３は、ＣＰＵ１１により実行される画像処理プログラム１６及び人物画像に合成される背景画像のデータベース１７を格納する。データベース１７には、色や模様の異なる複数の背景画像データが記録されている。
【００２６】
ディスク装置１３は例えばハードディスクドライブである。なお、画像処理プログラム１６は、ディスク装置１３でなく、ＲＯＭや磁気テープ（共に図示せず）に格納されていてもよい。
【００２７】
ＣＰＵ１１は、ディスク装置１３内の画像処理プログラム１６をメインメモリ１２にロードして、画像処理プログラム１６を実行する。
【００２８】
画像処理プログラム１６の実行に伴い、メインメモリ１２上には、撮影画像データ、人物画像データ、背景画像データ、及び合成画像データを格納する領域が確保される。
【００２９】
図３に、ＣＰＵ１１が画像処理プログラム１６を実行することで実現される機能ブロック図を示す。画像処理プログラム１６の実行により、選択部２１、画像処理部２２、及びカスタム背景作成部２３が実現される。
【００３０】
選択部２１は、背景画像データをディスク装置１３から選択して取り出し、背景画像候補データとしてタッチパネル３へ出力する。また、選択部２１は、タッチパネル３を介してユーザから背景画像の選択指示を受け付けると、ユーザにより選択された背景画像データを画像処理部２２に渡す。
【００３１】
画像処理部２２は、クロマキー合成による処理を用いて、撮影装置２により生成された撮影画像内の人物画像と、選択部２１から受け取った背景画像とを合成して、合成画像データを作成する。具体的には、画像処理部２２は、撮影画像内の人物と背景色との色差を判別し、撮影画像から人物画像を切り抜く。ここで判別される色差とは、色相差、彩度差、又は色相差及び彩度差の組み合わせである。そして、画像処理部２２は、選択部２１から受け取った背景画像と、切り抜いた人物画像とを重ね合わせることで、画像合成を行う。
【００３２】
また、画像処理部２２は、後述するカスタム背景作成部２３からカスタム背景画像を受け取った場合、人物画像とカスタム背景画像とを合成して、合成画像データを作成する。
【００３３】
画像処理部２２は、撮影装置２により生成された撮影画像データ又は作成した合成画像データをタッチパネル３でのプレビュー表示に対応したサイズに縮小し、プレビュー用画像データを生成する。また、画像処理部２２は、作成した合成画像データを、プリンタ５でプリントする写真サイズに対応したサイズに縮小し、プリント用画像データを生成する。例えば、縦、横の画素を均等に間引くことで画像を縮小することができる。プリンタ５でプリントされる写真サイズは、タッチパネル３を介して指示された用途に対応している。
【００３４】
カスタム背景作成部２３は、タッチパネル３を介してユーザから指示された色や模様等に基づいて、ユーザの好みに合わせたカスタム背景画像を作成する。カスタム背景作成部２３は、作成したカスタム背景画像を画像処理部２２に渡す。
【００３５】
タッチパネル３を介して、ユーザからプリンタ５のプリント開始指示を受け付けると、プリント用画像データが、演算制御装置１からプリンタ５へ出力される。また、タッチパネル３を介して、ユーザから人物画像データの出力指示を受け付けると、画像処理部２２が撮影画像から切り抜いた人物画像のデータが、演算制御装置１からデータ入出力部７を介して外部出力される。
【００３６】
また、タッチパネル３を介して、ユーザから人物画像データの入力指示を受け付けると、画像処理部２２は、データ入出力部７を介して外部から入力された人物画像と、ユーザにより選択された背景画像又はカスタム背景画像とを合成して、合成画像データを作成する。
【００３７】
図１に示すプリンタ５は、演算制御装置１から受け取ったプリント用画像データに対して、色変換やシャープネス処理を行う。そして、プリンタ５は、被撮影者Ｐの撮影画像を用紙に印画して出力する。プリンタ５のプリント方式は特に限定されず、インクジェット方式、昇華型熱転写方式、溶融型熱転写方式等を用いることができる。
【００３８】
次に、図４に示すフローチャートを用いて、被撮影者Ｐを撮影し、人物画像と背景画像との合成画像をプリント出力し、撮影画像から切り抜いた人物画像のデータを外部出力する方法を説明する。
【００３９】
（ステップＳ１０１）タッチパネル３が、印画する写真の用途の指示を受け付ける。
【００４０】
（ステップＳ１０２）被撮影者Ｐが、入金処理を行う。
【００４１】
（ステップＳ１０３）撮影装置２が、被撮影者Ｐを撮影し、撮影画像データを生成する。撮影装置２が撮影を行う際に、ストロボ６が被撮影者Ｐに光を照射する。
【００４２】
（ステップＳ１０４）画像処理部２２が、ステップＳ１０３で生成された撮影画像データをリサイズしてプレビュー用画像データを生成する。そして、タッチパネル３が、プレビュー用画像を表示する。被撮影者Ｐは、タッチパネル３に表示された画像を承諾する場合は、タッチパネル３上の決定ボタンを押す。これにより、ステップＳ１０５に進む。
【００４３】
一方、被撮影者Ｐは、再撮影を希望する場合、タッチパネル３上の再撮影ボタンを押す。これにより、ステップＳ１０３に戻る。
【００４４】
なお、ステップＳ１０３において複数回撮影を行い、タッチパネル３に複数のプレビュー用画像を表示し、被撮影者Ｐが最も気に入った画像を選択するようにしてもよい。
【００４５】
（ステップＳ１０５）選択部２１が、データベース１７から背景画像データを取り出す。また、画像処理部２２がクロマキー合成による処理を用いて、撮影画像から人物画像を切り抜き、背景画像と合成して合成画像データを作成する。さらに、画像処理部２２は、この合成画像データからプレビュー用画像データを作成する。ここで、合成画像に用いられる背景画像は、選択部２１が取り出した背景画像のうちの任意の１つである。
【００４６】
（ステップＳ１０６）タッチパネル３が、ステップＳ１０５で作成された合成画像を表示する。また、タッチパネル３は、背景画像データを背景画像候補として表示する。例えば、図５に示すように、合成画像３１及び背景画像候補３２がタッチパネル３に表示される。
【００４７】
（ステップＳ１０７）被撮影者Ｐは、タッチパネル３に表示されている合成画像を承諾する場合は、タッチパネル３上の決定ボタンを押す。これにより、ステップＳ１１１に進む。背景画像を変更する場合はステップＳ１０８へ進む。
【００４８】
（ステップＳ１０８）タッチパネル３に表示されている背景画像候補の中から背景画像を選択する場合はステップＳ１０９へ進む。タッチパネル３に表示されている背景画像候補の中に被撮影者Ｐの嗜好にあった背景画像が無く、背景画像をカスタム作成する場合は、ステップＳ１１０へ進む。
【００４９】
（ステップＳ１０９）被撮影者Ｐが、背景画像候補の中から背景画像を１つ選択する。画像処理部２２は、撮影画像から切り抜いた人物画像と、選択された背景画像とを合成して合成画像データを作成する。そして、新たに作成された合成画像がタッチパネル３に表示される。
【００５０】
（ステップＳ１１０）被撮影者Ｐが、色や模様等を選択して、カスタム背景画像を作成する。例えば、図６に示すように、タッチパネル３にカラーチャート（色相環）３３が表示され、被撮影者Ｐは任意の色を選択することができる。また、被撮影者Ｐは模様やグラデーション等を選択することができる。
【００５１】
カスタム背景作成部２３は、被撮影者Ｐにより選択された色や模様からカスタム背景画像を作成する。画像処理部２２は、撮影画像から切り抜いた人物画像と、カスタム背景画像とを合成して合成画像データを作成する。そして、新たに作成された合成画像がタッチパネル３に表示される。
【００５２】
（ステップＳ１１１）画像処理部２２が、合成画像データからプリント用画像データを作成する。そして、プリンタ５が、演算制御装置１からプリント用画像データを受け取り、合成画像を用紙に印画して出力する。
【００５３】
（ステップＳ１１２）被撮影者Ｐが、タッチパネル３を介して、人物画像データの出力を指示する。ステップＳ１０５において画像処理部２２により撮影画像から切り抜かれた人物画像のデータが、データ入出力部７を介して外部出力される。これにより、被撮影者Ｐは、自身の人物画像データを携帯情報機器や可搬記憶媒体に格納して、持ち帰ることができる。なお、このとき、印画物作製装置は、被撮影者Ｐに対して、人物画像データに対応した料金を要求し、入金後にデータを出力するようにしてもよい。
【００５４】
次に、図７に示すフローチャートを用いて、ユーザが持参した人物画像データを取り込んで、人物画像と背景画像との合成画像をプリント出力する方法を説明する。
【００５５】
（ステップＳ２０１）タッチパネル３が、印画する写真の用途の指示、及び人物画像データの入力指示を受け付ける。
【００５６】
（ステップＳ２０２）ユーザが、入金処理を行う。
【００５７】
（ステップＳ２０３）データ入出力部７を介してユーザから人物画像データが入力される。ここで入力される人物画像データは、例えば、図４のステップＳ１１２においてデータ入出力部７から出力され、ユーザが可搬記憶媒体等に格納して持ち帰ったものである。
【００５８】
（ステップＳ２０４）入力された人物画像がタッチパネル３に表示される。ユーザは、表示された人物画像を確認し、承諾する場合は、タッチパネル３上の決定ボタンを押す。これにより、ステップＳ２０５に進む。承諾しない場合は、ステップＳ２０３に戻り、ユーザは、他の携帯情報機器や可搬記憶媒体を用いて、人物画像データを入力する。
【００５９】
なお、ステップＳ２０３において複数の人物画像データが入力された場合は、タッチパネル３に複数の人物画像を表示し、ユーザがいずれか１つの人物画像を選択するようにしてもよい。
【００６０】
（ステップＳ２０５）選択部２１が、データベース１７から背景画像データを取り出す。また、画像処理部２２が、ステップＳ２０３で入力された人物画像と、背景画像とを合成して合成画像データを作成する。さらに、画像処理部２２は、この合成画像データからプレビュー用画像データを作成する。ここで、合成画像に用いられる背景画像は、選択部２１が取り出した背景画像のうちの任意の１つである。
【００６１】
（ステップＳ２０６）タッチパネル３が、ステップＳ２０５で作成された合成画像を表示する。また、タッチパネル３は、ステップＳ２０５で取り出された背景画像データを背景画像候補として表示する。例えば、図７に示すように、合成画像３１及び背景画像候補３２がタッチパネル３に表示される。
【００６２】
（ステップＳ２０７）ユーザは、タッチパネル３に表示されている合成画像を承諾する場合は、タッチパネル３上の決定ボタンを押す。これにより、ステップＳ２１１に進む。背景画像を変更する場合はステップＳ２０８へ進む。
【００６３】
（ステップＳ２０８）タッチパネル３に表示されている背景画像候補の中から背景画像を選択する場合はステップＳ２０９へ進む。タッチパネル３に表示されている背景画像候補の中にユーザの嗜好にあった背景画像が無く、背景画像をカスタム作成する場合は、ステップＳ２１０へ進む。
【００６４】
（ステップＳ２０９）ユーザが、背景画像候補の中から背景画像を１つ選択する。画像処理部２２は、ユーザから入力された人物画像と、選択された背景画像とを合成して合成画像データを作成する。そして、新たに作成された合成画像がタッチパネル３に表示される。
【００６５】
（ステップＳ２１０）ユーザが、色や模様等を選択して、カスタム背景画像を作成する。例えば、図８に示すように、タッチパネル３にカラーチャート（色相環）３３が表示され、ユーザは任意の色を選択することができる。また、ユーザは模様やグラデーション等を選択することができる。
【００６６】
カスタム背景作成部２３は、ユーザにより選択された色や模様からカスタム背景画像を作成する。画像処理部２２は、ユーザから入力された人物画像と、カスタム背景画像とを合成して合成画像データを作成する。そして、新たに作成された合成画像がタッチパネル３に表示される。
【００６７】
（ステップＳ２１１）画像処理部２２が、合成画像データからプリント用画像データを作成する。そして、プリンタ５が、演算制御装置１からプリント用画像データを受け取り、合成画像を用紙に印画して出力する。
【００６８】
このように、本実施形態によれば、撮影画像から人物画像を切り抜き、この人物画像のデータが外部出力されるため、ユーザは人物画像のデータを持ち帰り、後日、この人物画像のデータを装置に入力し、所望の背景画像と合成して、再プリントすることができる。
【００６９】
また、撮影画像からの人物画像の切り抜きを行わず、図７に示すフローチャートのように、ユーザから入力された人物画像と、背景画像とを合成し、合成画像のプリントを行う印画物作製装置を設けてもよい。このような装置は、撮影画像からの人物画像の切り抜きを行う装置と比較して、要求される画像処理能力が低いため、コストを抑えることができる。従って、撮影画像からの人物画像の切り抜きを行う印画物作製装置と、撮影画像からの人物画像の切り抜きを行わず、ユーザから入力された人物画像と、背景画像との合成のみを行う低コストの印画物作製装置を準備して設置することで、人物画像と所望の背景用画像とを合成した画像のプリントサービスを多くのユーザにコストを削減して提供することができる。
【００７０】
また、背景画像候補の中にユーザの好みに合う背景画像が無い場合であっても、カスタム背景作成により、ユーザの好みに合う背景画像を作成することができる。
【００７１】
上記実施形態において、カスタム背景作成時に、図８に示すように、カラーチャート３３上に服の色、毛髪の色、肌の色等をプロット表示してもよい。ユーザにとって、自身の服の色、毛髪の色、肌の色がカラーチャート上のどこに位置するものか正確に判断することは難しい。ユーザは、印画物作製装置によりプロット表示されたユーザの服の色、毛髪の色、肌の色の位置を考慮し、人物画像を鮮明にしつつ、自身の好みに合った背景画像を作成することができる。
【００７２】
ユーザがタッチパネル３上のプレビュー画像における自身の服や髪を触り、触れられた部分の色をカラーチャート上にプロットするようにしてもよい。この場合、ユーザが触れた部分の色が画像処理部２２によって抽出される。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７４】
１  演算制御装置
２  撮影装置
３  タッチパネル
５  プリンタ
６  ストロボ
７  データ入出力部
１１  ＣＰＵ
１２  メインメモリ
１３  ディスク装置
１４  入出力部
１５  バス
１６  画像処理プログラム
１７  データベース
２１  選択部
２２  画像処理部
２３  カスタム背景作成部
【図１】
0005582423.tif 000002
【図２】
0005582423.tif 000003
【図３】
0005582423.tif 000004
【図４】
0005582423.tif 000005
【図７】
0005582423.tif 000006
【図５】
0005582423.tif 000007
【図６】
0005582423.tif 000008
【図８】
0005582423.tif 000009